(57)【要約】【課題】建築板を一定速度で搬送させながらインクジェットノズルからのインク噴射タイミングを制御することで意匠面に化粧印刷を施す建築板印刷装置において、１画素に対して複数（４滴）のインクを重ねて着弾させるとともに、被印刷面をインクドットで埋め尽くすことで、建築板の下地色が見えないように印刷を施す。【解決手段】印刷ヘッドは、４つのノズルアレイブロック（１Ｃｙ〜１Ｋ，２Ｃｙ〜２Ｋ，３Ｃｙ〜３Ｋ，４Ｃｙ〜４Ｋ）を備える。被印刷面の１画素に対して、各ノズルアレイブロックからいずかの１つのインク滴を噴射させて、４個のインク滴が重なって混色された印刷ドットを形成する。各色ノズルアレイ群（Ｃｙ，Ｍａ，Ｙｅ，Ｋ）は、濃いインクを噴射するノズルアレイと中間濃度のインクを噴射するノズルアレイと淡いインクを噴射するノズルアレイとそれぞれを備える。【選択図】  図１２
2004148689.tif 000002
【特許請求の範囲】
【請求項１】
複数のインクジェットノズルが所定ピッチで主走査方向（建築板の進行方向と直交する方向）に一列に配設されているノズルアレイが副走査方向（主走査方向に直交する方向、すなわち、建築板の進行方向）に所定間隔で複数列平行に配設され各ノズルアレイ毎に異なる色かつ異なる濃度のインクが噴射されるように構成されているノズルアレイブロックが、副走査方向に複数段配設されている印刷ヘッドを備え、建築板の各画素に前記印刷ヘッドのすべての前記ノズルアレイブロックから少なくとも１つのインク滴を着弾させて建築板化粧印刷面の印刷領域のすべてをインクドットで埋め尽くす印刷を施すことを特徴とする建築板印刷装置。
【請求項２】
前記各画素のいずれにも同一色で異なる濃度のインク滴が重ねて着弾されないことを特徴とする請求項１記載の建築板印刷装置。
【請求項３】
異なる色かつ異なる濃度のインクから成るインクブロックの複数のすべてからの少なくとも１つのインク滴が各画素に着弾されて化粧印刷面のインクジェット印刷領域のすべてがインクドットで埋め尽くされていることを特徴とする建築板。
【請求項４】
前記各画素のいずれにも同一色で異なる濃度のインク滴が重ねて着弾されていないことを特徴とする請求項３記載の建築板。
【発明の詳細な説明】
【０００１】
【発明の属する技術分野】
本発明は建築板印刷装置に係り、詳しくは、インクジェット技術を利用することで印刷のための版を不要にし、小ロット多品種生産に対応できるようにした建築板印刷装置、及び、インクジェット印刷方式によって化粧印刷が施された建築板に関する。
【０００２】
【従来の技術】
本出願人は特願２００２−１３２１８２号で、４列のノズルアレイを備え４色のインクを噴射できるようにした印刷ヘッドを主走査方向（建築板の搬送方向と直交する方向）に千鳥状に互い違いに配置することで、建築板を搬送させながらカラー印刷を行えるようにした建築板印刷装置を提案している。
【０００３】
図１６は、既提案の建築板印刷装置の印刷ヘッドの配置を示す図である。既提案の建築板印刷装置は、主走査方向に２本のヘッドラインを備える。前方側のヘッドラインはｎ個の印刷ヘッド（１・１），（１・２）〜（１・ｎ）を備える。後方側のヘッドラインはｎ−１個の印刷ヘッド（２・１），（２・２）〜（２・ｎ−１）を備える。各印刷ヘッドは、クロ色インクを噴射するノズルアレイＫと、シアン色のインクを噴射するノズルアレイＣと、マゼンタ色のインクを噴射するノズルアレイＭと、イエロー色のインクを噴射するノズルアレイＹとを備える。
【０００４】
各ノズルアレイＫ，Ｃ，Ｍ，Ｙは、それぞれＮ個のノズルを所定のノズルピッチｐで主走査方向に一列に配設してなる。符号ａはノズルアレイの左端側のノズルから右端側のノズルまでの長さである。ここで、長さａ＝ノズルピッチｐ×（ノズル個数Ｎ−１）の関係となる。符号ｂは隣接するノズルアレイ間の離隔距離である。符号Ｌは前方側のヘッドラインと後方側のヘッドラインとの離隔距離、より具体的には同色ノズルアレイ間距離である。各印刷ヘッドは、ノズルアレイの長さ分だけ主走査方向へずらして千鳥状に互い違いに配設されている。
【０００５】
各印刷ヘッドを「（ヘッドグループ番号・ヘッド番号）」で示す。進みヘッドグループ１（先に印刷を開始するヘッドグループ）を（１・１）〜（１・ｎ）として識別管理する。また、遅れヘッドグループ２（所定時間遅れて印刷を開始するヘッドグループ）を（２・１）〜（２・ｎ−１）として識別管理する。
【０００６】
建築板の印刷有効幅（意匠面の短手方向長さに該当する）をＢＷとしたとき、ＢＷ＝（２ｎ−１）×ａであるから、ｎ＝（ＢＷ＋ａ）／２ａとなる。
【０００７】
図１７は、既提案の建築板印刷装置の各印刷ヘッドの動作タイミングを示す図である。印刷開始から印刷終了までの各印刷ヘッドが担当する印刷管理領域（建築板の進行方向すなわち長手方向における印刷帯幅のこと）を、所定管理時間Δｔ毎に区分したものを１印刷制御単位とし、印刷開始から印刷終了までの各印刷制御単位を番号付けして識別管理する。すなわち、ヘッド（１・１）については、（１・１・１）〜（１・１・ｍ）、ヘッド（２・１）については（２・１・１）〜（２・１・ｍ）とする。
【０００８】
そして、各印刷制御単位について、該当する印刷パターンを割り当て、インク噴射動作を１〜ｍ単位まで連続して実行させるものとしている。管理時間Δｔは、各色ノズルアレイ相互間距離ｂ（図１６参照）と、建築板の走行速度ｖとによって決定される。すなわち、Δｔ＝４ｂ／ｖとなる。遅れヘッドグループ２の動作開始タイミングは、進みヘッドグループ１がその動作を開始してから所定時間［Δｔ＋Δｔｄ］を経過した後である。遅延時間Δｔｄは、Δｔｄ＝（Ｌ−４ｂ）／ｖである。Ｌは同色ヘッド間距離である（図１６参照）。ｍは、建築板の長手方向長さ（印刷有効長さに相当する）をＢＬとしたとき、ｍ＝ＢＬ／（ｖ×Δｔ）となる。
【０００９】
主走査方向の画像解像度は、ノズルピッチｐによって決定される。副走査方向（主走査方向に直交する方向、すなわち、建築板の進行方向）の画像解像度については、ノズルピッチｐと一致させる場合には、ノズル開閉周波数をｆとすれば、ｖ＝ｐ×ｆの関係になるように各値を設定すれば良い。例えば、ｐ＝０．０４ｍｍ、ｆ＝１００００／ｓとすれば、ｖ＝０．０４ｍｍ×１００００／ｓ＝４００ｍｍ／ｓ＝２４ｍ／ｍｉｎとなり、ライン速度２４ｍ／分が実現できる。なお、色柄模様の発色方法については、密度制御法によるものとしている。
【００１０】
図１８は、既提案の建築板印刷装置の１印刷管理幅の印刷動作を模式的に示す図である。図１８では、建築板の１つの印刷管理幅について、その印刷動作を示している。建築板は左方向へ進行するものとする。時刻ｔ０でＫヘッド（ノズルアレイＫ）によるＫ（クロ）印刷を開始する。時間Δｔ／４を経過した時（時刻ｔ１）で、Ｃヘッド（ノズルアレイＣ）によるＣ（シアン）印刷を開始する。更に時間Δｔ／４を経過した時（時刻ｔ２）で、Ｍヘッド（ノズルアレイＭ）によるＭ（マゼンタ）印刷を開始する。更に時間Δｔ／４を経過した時（時刻ｔ３）で、Ｙヘッド（ノズルアレイＹ）によるＹ（イエロー）印刷を開始する。
【００１１】
時間Δｔの間に、建築板はｖ×Δｔだけ進み、最初の印刷領域（１）、すなわち、ａ×ａの印刷領域が、ＫＣＭＹの４色カラードットで印刷され、フルカラー印刷が実現される。
【００１２】
また、時刻ｔ１においては、次順の印刷領域（２）の先端部がＫヘッド（ノズルアレイＫ）直下に到達しており、連続してＫヘッド（ノズルアレイＫ）による印刷領域（２）のＫ（クロ）印刷が開始される。同様な印刷動作が、建築板の進行に伴って連続して実行されていく。このようにして、幅ａの印刷管理幅について、その全面がフルカラーに印刷される。
【００１３】
図１９は、既提案の建築板印刷装置の建築板全体の印刷動作を模式的に示す図である。並設された各ヘッドについて、同様な印刷動作が実行されていくことにより、建築板の全面がフルカラーに印刷される。最初に、進みヘッドグループ１の各印刷ヘッド（１・１）〜（１・ｎ）を同時に動作開始させる。引き続き、Δｔｄ時間後に、遅れヘッドグループ２の各印刷ヘッド（２・１）〜（２・ｎ−１）を同時に動作開始させる。各印刷ヘッドにおける各色ノズルアレイは、印刷動作を開始してからΔｔ×ｍ時間経過するまで、連続して自らの印刷動作を実行する。
【００１４】
上述したように既提案の建築板印刷装置は、建築板（図示しない）を一定速度で搬送させながら各ノズルアレイからのインク滴の噴射を制御することで、建築板の意匠面にインクジェット方式によるカラー印刷を施すことができる。１個のノズルから噴射される１滴のインクが１画点（ドット）となり、１画素を複数のドットで形成することにより階調表現を行わせることができる。
【００１５】
【特許文献１】
特開平９−５８０２２号公報
【特許文献２】
特開２００２−２４８７４７号公報
【特許文献３】
特願２００２−１３２１８２号
【特許文献４】
特願２００２−２０８９７０号
【発明が解決しようとする課題】
窯業系建築板、例えばセメント板の意匠面に対して、印刷を施そうとする場合、被印刷面である意匠面は、防水性を付与するために塗装が施されている。かかる防水性の付与は、外壁材として使用される場合の雨水の浸透防止に不可欠のものである。セメント板の塗装においては、下塗り（シーラー塗装）や、中塗りによって、その意匠面に防水性が付与されている。
【００１６】
したがって、インクジェットフルカラー工業印刷では、下塗り層（シーラー塗装のみを施している状態）や中塗り層（下塗り層の上面に溝部色として全面塗装が施されている状態）の表面における所定の被印刷面に対して印刷を施すことになる。場合によっては、ロールコータによる上塗り層の表面に対して印刷を施すこともある。この上塗り層の色は、インクジェット印刷部分の発色模様との関係から決められる。これに伴って、それらの塗装面の表面が、印刷の下地面になる。
【００１７】
ところで、インクジェット印刷では、ＣＭＹＫのカラーインクドットの集合によって画素を構成し、その画素の集合によって被印刷面上に画像を形成発現させようとするものであるが、その場合に、画素の濃淡表現は、カラーインクドットの面積密度を変化させることによって表現するようになっている。そして、かかるカラーインクドットの面積密度を段階的に変化させことで階調表現が可能となる。
【００１８】
ここで問題となるのは、淡色表現の場合である。淡色表現の場合、カラーインクドットの面積密度を粗くするため、当然に、下地の色が目立つようになってきてしまうのである。これが紙に対する印刷の場合には、多くの場合、紙の色が白であるから、下地の色の影響は殆どない。
【００１９】
しかしながら、セメント板の場合、下塗りや中塗りにおいて、たとえ顔料を含まない無色の塗装を行ったとしても、セメント板自体の自然色（多くはグレー色である。）がどうしても下地色として発現され、影響することは避けられない。
【００２０】
下地を白色に塗装する方法なども考えられるが、その分、製造上の制約を受けることになってしまう。下地色の影響も考慮に入れて印刷色を計算して決定することも考えられなくもないが、かなりの困難性を伴うカラー計算作業となる。
【００２１】
上述したように、下塗り層表面に対して直接にインクジェット印刷を行えば、セメント基板のグレー色が下地色となってしまうために、最終印刷仕上りはその下地色であるグレーの影響を大きく受けてしまう。また、中塗り層表面に対して直接にインクジェット印刷を行う場合についても、同様に、中塗り色（溝部色）が下地色となるために、それが最終印刷仕上りに大きく影響を及ぼしてしまう。
【００２２】
このように、ドット密度制御法の場合には、淡色表現に対して、ドット密度を低くする方法をとることから、当然に下地色が発現されてしまうことになり、その影響が避けられない。
【００２３】
そこで、本出願人は、下地色が見えないように印刷する技術の１つとして、特願２００２−２０８９７０号で、カラードットで被印刷面を埋め尽くすとともに、濃中淡色の濃度の異なるインクドットを使用することによって豊かな階調表現を行うことを提案した。ここで提案したものは、１画素を複数ドットで構成するものであるため、ドット径を大きくすることができなかった。
【００２４】
本発明は上記課題を解決するためなされたもので、インクジェットの大きなドット径を形成し、かつ、下地色が見えないように印刷を施すことのできる建築板印刷装置及び該装置によって製造される建築板を提供することを目的とする。
【００２５】
【課題を解決するための手段】
前記課題を解決するため本発明に係る建築板印刷装置は、複数のインクジェットノズルが所定ピッチで主走査方向（建築板の進行方向と直交する方向）に一列に配設されているノズルアレイが副走査方向（主走査方向に直交する方向、すなわち、建築板の進行方向）に所定間隔で複数列平行に配設され各ノズルアレイ毎に異なる色かつ異なる濃度のインクが噴射されるように構成されているノズルアレイブロックが、副走査方向に複数段配設されている印刷ヘッドを備え、建築板の各画素に前記印刷ヘッドのすべての前記ノズルアレイブロックから少なくとも１つのインク滴を着弾させて建築板化粧印刷面の印刷領域のすべてをインクドットで埋め尽くす印刷を施すことを特徴とする。
【００２６】
また、前記各画素のいずれにも同一色で異なる濃度のインク滴が重ねて着弾されないことで、顕著な混色効果を得ることができる。
【００２７】
また、本発明に係る建築板は、異なる色かつ異なる濃度のインクから成るインクブロックの複数のすべてからの少なくとも１つのインク滴が各画素に着弾されて化粧印刷面のインクジェット印刷領域のすべてがインクドットで埋め尽くされていることを特徴とする。
【００２８】
【発明の実施の形態】
以下、添付図面を参照しながら本発明の好適な実施の形態について詳細に説明する。
【００２９】
本発明では、カラードットで被印刷面を埋め尽くすことで、下地色の影響を受けないようにするものであるが、ドット密度制御方法を採用したものではない。言い換えれば、１画素を複数ドットで構成するのではなく、１画素を１ドットで構成するものである。
【００３０】
これにより、１ドットの径を大きくすることができ、パンチ力を向上させることができる。建築板は遠方から眺めることが多いので、パンチ力の向上は外観意匠面からも意味がある。また、ドット径を大きくするということは、インク滴の径も大きくなるために、建築板の走行により発生する風（随伴空気流）の影響をより受けにくくなるという利点もある。さらに、ドット径を大きくすることによって、建築板の走行精度のバラツキ要因による着弾位置のズレを誤差範囲内に納めることができる。なお、ドット径を大きくした分、階調表現が低くなることを避けるために、濃度の異なるインクドットを使用するようにしている。
【００３１】
１画素を１ドットで構成するということは、１ドットが固有の色調濃度を有しているということであり、ＣＭＹＫの基本となる４色カラードットを分散配置し、そのドットの密度を制御することで色調及び階調表現を行おうとするこれまでの発色方法とは大きく異なっている。
【００３２】
具体的に本発明では、ＣＭＹＫの基本４色の各色インクについて、濃（Ｈ）、中（Ｍ）、淡（Ｌ）の３段階濃度の３種類のインクを用意している。そして、インク滴が着弾する同一着弾点に対して、Ｃ色の濃度（濃中淡）、Ｍ色の濃度（濃中淡）、Ｙ色の濃度（濃中淡）、Ｋ色の濃度（濃中淡）の合計１２色のカラーインクの中から選択した４色のインク滴を着弾させ、それらが混ざり合う（混色する）ことによって所定の色調濃度に発色させるものとしている。
【００３３】
このような発色方法は、通常のグラビア印刷の場合の発色原理と同じであり、Ｃ色の版、Ｍ色の版、Ｙ色の版、Ｋ色の版を個々に用意しておき、被印刷物を、それらの各色版を順に通過させていくという印刷を行うことで、ＣＭＹＫの各色版によって供給された必要量（グラビアロール表面に形成されたセルの容積によってインク量の調整が行われる。）の各色インクを、同一被印刷点上に重ね混ぜ合わせることで、所望の色調濃度を発色させるようになっている。
【００３４】
ところが、インクジェット発色方式の場合には、グラビア印刷の場合のように、グラビアロール表面に形成したセル容積の大小によるインク量の調整ができるわけではない。そこで、一般的には、同一着弾点に着弾させるインク滴の数を制御するものとしている。なお、このような複数のインク滴を混ぜ合わせて発色させるインクジェット発色方式については、例えば特開平９−５８０２２号公報などで知られている。
【００３５】
しかしながら、そのような同一着弾点に着弾させるインク滴の数を制御する方法というのは、パソコンプリンタの場合のように、間欠的な紙送り動作と、カラーヘッドを紙面上を早くトラバースさせる動作との組み合わせによって、紙面上におけるインク滴の同一着弾点が微少時間なりとも略静止状態になっていることが必要となる。
【００３６】
これに対して本願発明では、生産性の高いインクジェットフルカラー工業印刷を実現せんがために、カラーインクヘッドを固定状態に設置しており、該カラーインクヘッドに対して被印刷物である建築板をパソコンプリンタとは比べられない程高速で走行させる生産方式をとっているために、建築板上の同一着弾点が一瞬なりとも静止状態となることはない。
【００３７】
なお、本出願人は、カラーインクヘッドを固定状態に設置し、建築板を走行させながらインクジェットフルカラー工業印刷を行う技術を、特開２００２−２４８７４７号公報で提案している。
【００３８】
そこで、本願発明では、建築板が走行するに従って、一定速度で移動する建築板上の同一着弾点に対して、建築板の進行方向の搬送ライン上に所定の間隔をおいて配置した各色インク滴供給ヘッドから、所定の基本色調濃度を有する４滴のインクを、時間間隔をおいて順に着弾させるものとしており、着弾したそれら４滴のインクが互いに混ざり合って混色され、結果的に所定の色調濃度を有する画素が形成されるという発色法を工業レベルの印刷として実現する。
【００３９】
図１は、本発明の一実施の形態による建築板印刷装置の印刷ヘッドの配置を示す図である。本実施の形態による建築板印刷装置の印刷ヘッドは、１列目の各印刷ヘッド（１・１）〜（１・ｎ）と２列目の各印刷ヘッド（２・１）〜（２・ｎ−１）とが千鳥状に互い違いに配置されている。
【００４０】
図２は、本実施の形態による建築板印刷装置の印刷ヘッドのノズル配列を示す図である。図２は図１に示す印刷ヘッドの部分拡大図になっている。印刷ヘッドは、副走査方向に４つのノズルアレイブロック１〜４が順に配置されている。各ノズルアレイブロック１〜４は、主走査方向に並列するＣｙ（シアン）ノズルアレイ群、Ｍａ（マゼンタ）ノズルアレイ群、Ｙｅ（イエロー）ノズルアレイ群、Ｋ（クロ）ノズルアレイ群が、副走査方向にこの順で配置されている。この配列順番は、Ｃｙ，Ｍａ，Ｙｅ，Ｋ色インク滴の混ぜ合わせの固定順番となっている。
【００４１】
各色ノズルアレイ群は、図示するように、ノズルＨ（濃色インク滴噴射用）とノズルＭ（中色インク滴噴射用）とノズルＬ（淡色インク滴噴射用）とが、建築板表面の縦方向の被印刷ラインＶＬから一定距離をおいた直上位置に、所定ピッチｐで一直線状に整然とＨ→Ｍ→Ｌの順で配されている。主走査方向ノズル配列ピッチは２ｐである。ノズルＭの位置を中心とする仮想円は、４個のインク滴が重なって混色され形成された最終印刷ドットの径の最大値を示す。
【００４２】
図３は、図２に示したノズル配列の部分拡大図及び各色ノズルアレイ群の中から選択されたノズルの動作例を示す図である。縦方向の被印刷ラインＶＬ上に１ドット（画素）を形成するために動作させるノズルは、各ノズルアレイブロックの中の該当するＶＬ印刷ラインを担当するＣｙ，Ｍａ，Ｙｅ，Ｋのノズルアレイ群から選択された１個のノズルである。したがって、４つのノズルアレイブロックからそれぞれ１個のノズルが選択されて使用されるので、合計４個の選択ノズルが使用されて、１ドット（画素）が印刷される。
【００４３】
ここではＶＬ１については、最初に、ノズルアレイブロック１の中の１ＣｙＨのノズル１個が選択されており、続いて、ノズルアレイブロック２の中の２ＣｙＨのノズル１個が選択されている。そして、図示していないが、ノズルアレイブロック３と４についても、それぞれから１個のノズルが選択されて使用されるようになっている。
【００４４】
後述するが、各ノズルから噴射されるインク滴は、Ｍノズルの直下位置に向けて噴射される。図中の矢印と黒点は、そのことを示している。
【００４５】
ここで留意すべきことは、最初に１ＣｙＨ色インク滴を着弾させた場合には、続いて、２ＣｙＭと２ＣｙＬは選択できないということである。なぜなら、濃度の異なる同じ色相のインク滴を重ねて混色させる場合、着弾した濃色インク滴の上から、中色、淡色のインク滴を重ねても、上側から重ねたインク滴による顕著な混色効果は得られないし、同様に、着弾した中色インク滴の上から淡色のインク滴を重ねても、同様に顕著な混色効果は得られないからである。
【００４６】
また逆に、着弾した淡色インク滴の上から、中色、濃色のインク滴を重ねても、同様に、重ねられた下側のインク滴との顕著な混色効果は得られないし、着弾した中色インク滴の上から、濃色のインク滴を重ねても顕著な混色効果は得られないという事実がある。
【００４７】
ここに、Ｃ，Ｍ，Ｙ，Ｋの各基本濃度（比較的高濃度である。）を有する基本インクを、それぞれ、量を変えて混ぜるグラビア印刷の場合に比べて、混色が単純にできないという難しさがある。
【００４８】
したがって、同一色相で、かつ、異なる濃度のインク滴は重ねないように制御するものとしている。
【００４９】
またＶＬ２では、最初に、ノズルアレイブロック１の中の１ＭａＭのノズル１個が選択されており、続いて、ノズルアレイブロック２の中の２ＭａＭのノズル１個が選択されている。
【００５０】
ここで留意すべきことは、最初のＭａ色インク滴を着弾させる場合には、混ぜる順番がＣ→Ｍ→Ｙ→Ｋの順に固定されているので、Ｃｙ色のインク滴を噴射する２Ｃｙのノズルは選択できないということである。もちろん、ノズルアレイブロック２において、Ｙｅ（Ｈ，Ｍ，Ｌ）、Ｋ（Ｈ，Ｍ，Ｌ）を選択使用することは可能である。しかし、ＭａＨを選択することはできない。なぜなら、先述したように、同一色相で、かつ、異なる濃度のインク滴を重ねて混色することになるので、より高濃度となるＭａＨのインク滴を後から着弾させないという制約条件に反することになるからである。
【００５１】
またＶＬ３では、最初にＹｅ色インク滴を着弾させるので、固定の混ぜる順番より、２Ｃｙ及び２Ｍａのノズルは選択できない。また、ＹｅＬを着弾させるので、Ｙｅ（Ｈ，Ｍ）は、より高濃度のインク滴であるから、選択できない。
【００５２】
このように、図２に示すノズル配列によって発色させることのできる色調としては、固定の混ぜる順番と、混色効果の有効性を考慮して選択される限定されたノズルによって決定された限定色となる。
【００５３】
具体的に、発色可能な色数としては、次のようになる。
【００５４】
図４は、最初にＣｙＨ（濃いシアン色）のインク滴を噴射させる場合の噴射順序の組み合わせを示す図である。図４に示すように、１ＣｙＨを最初に着弾させる場合の色数は１３６である。同様に１ＣｙＭ，１ＣｙＬを最初に着弾させる場合も、それぞれ１３６色となる。なお、それらの最上段の組み合わせは、それぞれ、
１ＣｙＭ−２ＣｙＭ−３ＣｙＭ−４ＣｙＭ、
１ＣｙＬ−２ＣｙＬ−３ＣｙＬ−４ＣｙＬ
となる。以上より、Ｃｙ（シアン）のインク滴を最初に着弾させる場合に発色可能な色数としては、３×１３６＝４０８色となる。
【００５５】
図５は、最初にＭａＨ（濃いマゼンタ色）のインク滴を噴射させる場合の噴射順序の組み合わせを示す図である。図５に示すように、１ＭａＨを最初に着弾させる場合の色数は４６である。同様に１ＭａＭ，１ＭａＬを最初に着弾させる場合も、それぞれ４６色となる。なお、それらの最上段の組み合わせは、それぞれ、
１ＭａＭ−２ＭａＭ−３ＭａＭ−４ＭａＭ、
１ＭａＬ−２ＭａＬ−３ＭａＬ−４ＭａＬ
となる。以上より、Ｍａ（マゼンタ）のインク滴を最初に着弾させる場合に発色可能な色数としては、３×４６＝１３８色となる。
【００５６】
図６は、最初にＹｅＨ（濃いイエロー色）のインク滴を噴射させる場合の噴射順序の組み合わせを示す図である。図６に示すように、１ＹｅＨを最初に着弾させる場合の色数は１０である。同様に１ＹｅＭ，１ＹｅＬを最初に着弾させる場合も、それぞれ１０色となる。なお、それらの最上段の組み合わせは、それぞれ、
１ＹｅＭ−２ＹｅＭ−３ＹｅＭ−４ＹｅＭ、
１ＹｅＬ−２ＹｅＬ−３ＹｅＬ−４ＹｅＬ
となる。以上より、Ｙｅ（イエロー）のインク滴を最初に着弾させる場合に発色可能な色数としては、３×１０＝３０色となる。
【００５７】
図７は、最初にＫ（クロ）のインク滴を噴射させる場合の噴射順序の組み合わせを示す図である。図７に示すように、最初にＫ（クロ）のインク滴を着弾させる場合の色数は３である。
【００５８】
以上より、４０８＋１３８＋３０＋３＝５７９通りの発色が可能となる。
【００５９】
図８は、発色可能な１５段階の濃度レベルを示す図である。上記の発色可能な５７９色は、図８に示す１５段階の濃度レベル（線形の階調表示ではない。）のいずれかの濃度レベルで発色されることになる。色数からすれば、パソコンプリンタの場合と比べて、少なすぎると感じるかもしれないが、外装材として使用される建築板の意匠分野では十分過ぎる色数であるので、問題とならない。
【００６０】
実際の印刷にあたっては、発色させようとする写真などのカラー原画像をＲＧＢ画素データに分解し、１つずつの画素について、前記発色可能な５７９色に対する基準となるＲＧＢデータによってカラーマッチングしていくことで、マッチングされた色の発色用として選択される４個のノズルが決定される。
【００６１】
次に、Ｈ，Ｍ，Ｌの各ノズルからのインク滴の噴射方向について説明する。図２に示す各円については、被着弾点がＭａ（マゼンタ色）ノズルの直下位置を通過した時点において、Ｈ，Ｍ，Ｌのいずれか１個のノズルからインク滴が、その被着弾点に向けて噴射される。
【００６２】
図９は、インク滴の噴射方向と着弾位置との関係を示す図である。図１０は、インク滴が重なっていく様子を示す図である。図１１は隣接するインク滴が混じり合う様子を示す図である。
【００６３】
図９（ａ）に示すように、Ｈ（濃色用）ノズルからは、建築板の進行方向の斜め下方に向けてインク滴が噴射され、Ｍ（中色用）ノズルからは、その直下位置を通過する被着弾点に向けてインク滴が噴射され、Ｌ（淡色用）ノズルからは、建築板の逆進行方向の斜め下方に向けてインク滴が噴射される。
【００６４】
基本的には、Ｈ，Ｍ，Ｌの各ノズルのインク滴噴射方向については、噴射角θ（θ＝ｔａｎ−１（ｈ／ｐ）、ｈはノズルからのインク滴噴射位置とインクの被着弾点との垂直距離）がノズル設計で行われ、Ｈ，Ｌの各ノズルからのインク滴噴射速度は、Ｍノズルの噴射速度に対して、その（１／ｓｉｎθ）倍になるようにピエゾ圧電素子の駆動電圧を制御する。
【００６５】
実際には、Ｈ，Ｌの各ノズルから斜め下方へインク滴が噴射されることによって、Ｈノズルの場合には、被着弾点よりも前方へインク滴が流れる傾向にあり、Ｌノズルについては、被着弾点よりも後方へインク滴が流れる傾向にある。
【００６６】
そこで、図９（ｂ）に示すように、被着弾点の移動速度（すなわち、建築板の走行速度）に応じて、Ｈノズルについては予定された被着弾点よりもΔｘだけ後方の位置に向けて、Ｌノズルについては予定された被着弾点よりもΔｙだけ前方の位置に向けて、インク滴を噴射するように噴射角度のノズル設計を行う。
【００６７】
なお、Ｈ，Ｍ，Ｌの各ノズルから噴射されたインク滴が着弾したときの印刷ドットの形状は厳密には異なるが、遠方より眺める外壁板仕様を考えれば、その形状差の影響は無視できる。
【００６８】
そして、図１０（ｃ）に示すように、順にインク滴が重なっていくことで、印刷ドット径がだんだん大きくなっていくので、４個のインク滴が重なって形成されることになるインクドットの径φの最大値φ４が２ｐ（ノズルピッチの２倍）よりも少し短くなるようにノズル口径（インク噴射量）を設計すれば、最終の印刷ドットは略２ｐとなる。
【００６９】
図１１（ｄ）に示すように、着弾したインク滴の印刷ドット径が２ｐの場合には、被印刷面は隣に配される４つの印刷ドットが互いに重ならない状態で接している。この状態では、４つの円形の印刷ドットが接することによって形成されるすきま部分ｅが印刷されずに、下地が露出してしまうことが懸念される。
【００７０】
ところが、液体であるインク滴を混ぜ合わせる（重ね合わせる）という作用を建築板の被印刷面上で行わせたときには、着弾した液体のインク滴が、その流動性によって、互いに混じり合うと同時に、周囲に拡散流動していくという事実がある。
【００７１】
さらに、建築板（セメント板）表面には微少凹凸があること、走行する建築板は振動が避けられないという事実があることも加わって、着弾したインク滴の拡散流動は、実際には、図１１（ｄ）に示したすきま部分ｅへも進んでいくこととなり、結果的に、すきま部分ｅの面積を狭くしていくのである（インク側の設計を行う）。
【００７２】
このようにして、結局、図１１（ｅ）に示すような状態となり、下地色の露出する部分ｅ’の面積はかなり狭くなって、その影響力が低下する。また、異なる色調を有する２個の印刷ドットが近接した場合には、その近接部分において両色が目の錯覚で混色されるという効果があるため、下地色の露出する部分ｅ’が目に訴える影響力は薄まって、目立たなくなってしまう。
【００７３】
例えば、横方向のノズルピッチとして、１００μｍ（＝０．１ｍｍ）程度、すなわち、解像度２５４｛＝２５．４（ｍｍ／ｉｎｃｈ）÷０．１（ｍｍ）｝ｄｐｉにすることで、印刷ドット径が１００μｍより少し大きくなって、上記効果が得られる。
【００７４】
次に、隣接する縦方向の被印刷ラインに対する各ノズルアレイブロックにおける選択ノズルの動作時期について説明する。
【００７５】
図１２は、隣り合う２本の被印刷ラインＶＬ１とＶＬ２についての、建築板の走行に伴う、選択ノズルのインク滴噴射タイミングの例を示す図である。縦方向の各被印刷ラインでは、そのライン上に該当する１画素を形成するために選択された４個のノズルが、時間の経過と共にそれぞれ独立したインク滴噴射動作を実行するようになっている。また、各被印刷ラインごとに、独立した印刷制御が行われる。
【００７６】
図１３は、建築板の意匠面に形成されるべき印刷ドットの予定位置と選択ノズルの動作時期の関係を示す図である。図１３（ａ）に示すように、縦方向に並ぶＡ１、Ａ２、Ａ３、…が被印刷ラインＶＬ１上に形成される印刷ドット列となる。他の縦方向の被印刷ラインＶＬについても同じである。
【００７７】
図１３（ａ）に示す横方向に並ぶＡ１、Ｂ１、Ｃ１、…、Ｎ１の各印刷ドットを形成するためには、各印刷ドットが、図１〜図３に示す各印刷ヘッドのいずれによって印刷されるべきかが印刷制御パターンによって決められるので、図１３（ｂ）に示すように、１列目の印刷ヘッド（進みヘッドグループ）が印刷分担する印刷ドットについては、印刷ドットの予定位置（インク滴の着弾予定位置）の中心点ＣＰが、先頭の１ＣｙＨノズル直下位置に到達してから最後尾の４ＫＬノズルの直下位置を通過するまでの時間Ｔ１（４７ｐ／ｖ、４７＝３濃度×４色×４ブロック）内に、各ノズルアレイブロック１〜４から１個が選択された合計４個のノズルがそれぞれの噴射動作を実行する。ここで、建築板の走行速度をｖ［ｍｍ／ｓｅｃ］とする。
【００７８】
また、２列目の印刷ヘッド（遅れヘッドグループ）が印刷分担する印刷ドットについては、時間Ｔ１が経過した後、中心点ＣＰ’が１ＣｙＨノズルの直下位置を通過するまでの時間Ｔ２を経過してから４ＫＬノズルの直下位置を通過するまでの時間Ｔ３（＝Ｔ１）を経過するまでに、同じく各ノズルアレイブロック１〜４からそれぞれ１個が選択された合計４個のノズルがそれぞれの噴射動作を実行する。
【００７９】
１列目の印刷ヘッドは、時間Ｔ１内に印刷ドットＡ１を印刷形成し、その間に次の印刷ドットＡ２を印刷形成し始めて、時間Ｔ１内に印刷ドットＡ２を印刷形成し、連続してＡ３、…と最終印刷ドットまで印刷形成していく。２列目の印刷ヘッドは、１列目の印刷ヘッド動作時間Ｔ１経過の後、更に時間Ｔ２を経過した後、時間Ｔ３の動作期間に入り、順次、担当する縦方向の被印刷ラインを構成する印刷ドットを最終印刷ドットまで印刷形成していく。
【００８０】
１列目の印刷ヘッドにおける１ＣｙＨノズルの直下位置を、中心点ＣＰが通過した時点を基準点として、時間Ｔ１に相当するパルスカウント数ＰＣＮ１、時間Ｔ２に相当するパルスカウント数ＰＣＮ２、時間Ｔ３に相当するパルスカウント数ＰＣＮ３をカウントする。以下、各縦方向印刷ラインについての最終印刷ドットの印刷が完了する時間までカウントしていく。制御パターンには、カウントしたパルス数に応じて、動作させるべきノズルが決められているので、選択ノズルの動作時期が決定される。
【００８１】
具体的には、建築板の走行速度がｖ［ｍｍ／ｓｅｃ］、印刷ヘッドの縦方向のノズル配列ピッチがｐ［ｍｍ］であるから、１列目の印刷ヘッドにおいてノズル番号１のノズルの直下位置に中心点ＣＰが到来してから噴射動作を行うノズル番号ｉ（ｉ＝１〜４８）のノズルの直下位置に中心点ＣＰが到来するまでに要する時間ｔｉは、ｔｉ＝｛ｐ×（ｉ−１）｝／ｖであり、このｔｉに相当するパルスカウント数ＰＣＮｉをカウントすれば、そのノズルの動作時期が決まるという内容の制御を行えばよい。
【００８２】
先述したように、横方向のノズルピッチを１００μｍ（＝０．１ｍｍ）にすれば、縦方向のノズルピッチは５０μｍ（＝０．０５ｍｍ）となるので、縦横共に解像度２５４ｄｐｉの印刷画像を形成するためには、ｖ＝４００［ｍｍ／ｓｅｃ］としたときに、ｖ＝ｐ×ｆ＝０．０５×ｆ＝４００より、ノズル開閉周波数ｆ＝８０００となり、実現可能なノズル開閉周波数となる。
【００８３】
図１４は、本実施の形態による建築板印刷装置の全体システム構成を示す図である。各印刷ヘッド毎にヘッド専用のコントローラ１０とパターンメモリ（ＰＭ）１１とノズル開閉制御用ピエゾ素子駆動回路（ＤＣ）１２とを設け、各印刷ヘッド毎に個々に印刷制御動作を実行させる。各コントローラ１０は、メインコントローラ１３によって分散管理される。
【００８４】
建築板に印刷すべき柄模様等の印刷データ（ノズル開閉制御パターンデータ）は、ノズル開閉制御パターン記録メモリ１４に格納されている。メインコントローラ１３は、ノズル開閉制御パターン記録メモリ１４に格納されている印刷データ（ノズル開閉制御パターンデータ）を各印刷ヘッド毎に区分し、各コントローラ１０を介して各パターンメモリ（ＰＭ）１１へそれぞれ記録させる。
【００８５】
なお、メインコントローラ１３は、到来する１枚１枚の建築板に対して、異なる印刷パターンを用意しておき、どのパターンをどの順で使用するかを指示するようにしてもかまわない。これにより、建築板の１枚毎に異なる柄模様等を印刷することができる。
【００８６】
メインコントローラ１３には、印刷条件等の設定を行うための入力装置としてのキーボード１５、及び、本建築板印刷装置の設定状態や動作状態等を表示するためのディスプレイ１６が接続されている。
【００８７】
印刷開始位置検出センサ１７は、光電スイッチ等を用いて構成されており、建築板が所定位置に搬送されてきたことを検出する。印刷開始位置検出センサ１７の検出出力は各コントローラ１０へそれぞれ供給される。
【００８８】
パルスエンコーダ１８は、建築板を搬送するコンベア装置等に設けられており、建築板が所定の距離だけ搬送されるたびにパルス信号を出力する。パルスエンコーダ１８から出力されたパルス信号は各コントローラ１０へそれぞれ供給される。
【００８９】
各コントローラ１０は、印刷開始位置検出センサ１７の検出出力を基準にしてパルスエンコーダ１８からのパルス信号をカウントすることで、各ノズルアレイ群１Ｃｙ〜４Ｋからのインク噴射のタイミングを制御する。
【００９０】
図１５は、本実施の形態による建築板印刷装置の印刷ヘッド専用のコントローラの構成を示す図である。上記のインク噴射（印刷）動作を実行するために、各ヘッド専用のコントローラ１０は、図１５に示すような構成をとっている。すなわち、各色ノズルアレイ群Ｋ（１Ｋ〜４Ｋ），Ｃ（１Ｃｙ〜４Ｃｙ），Ｍ（１Ｍａ〜４Ｍａ），Ｙ（１Ｙｅ〜４Ｙｅ）に対してそれぞれ専用のノズル開閉制御用ピエゾ素子駆動回路（Ｋ−ＤＣ，Ｃ−ＤＣ，Ｍ−ＤＣ，Ｙ−ＤＣ）１２Ｋ，１２Ｃ，１２Ｍ，１２Ｙを制御する各色用のコントロール部１０Ｋ，１０Ｃ，１０Ｍ，１０Ｙを設けている。また、パターンメモリ（ＰＭ）１１は、色データ別に４分割されており、各色用コントロール部１０Ｋ，１０Ｃ，１０Ｍ，１０Ｙが直接アクセスできるようになっている。メインコントローラ１３から事前に伝送される印刷（制御）パターンは、ヘッド管理部１０Ａによってパターンメモリ（ＰＭ）１１に色データ別に記録される。
【００９１】
ノズル詰まり検出手段１９からの検出信号は、ヘッド管理部１０Ａに入力され、ノズル詰まり検出手段１９によっていずれかのノズルアレイにノズルの詰りが検出された場合には、すべての色別コントロール部１０Ｋ，１０Ｃ，１０Ｍ，１０Ｙの制御を停止させるようにしている。
【００９２】
個々の印刷ヘッドにおける個々の色別ノズルアレイ群Ｋ，Ｃ，Ｍ，Ｙからのインク噴射を固有のコントロール部１０Ｋ，１０Ｃ，１０Ｍ，１０Ｙによって制御することで、制御負担は極めて軽くなる。
【００９３】
なお、インクタンクは図示していないが、各色ノズルアレイ群Ｋ，Ｃ，Ｍ，Ｙ毎に濃度の異なるインクタンクがそれぞれ分離設置されており、適宜方法によってインクが補給されるようにしている。
【００９４】
なお、本発明は上記実施の形態に限定されるものではない。例えば、図２では、各色毎に各濃度のノズルアレイを備えたノズルアレイブロックがブロック毎に分かれて配置されている例を示したが、概念的にブロック毎に分かれていれば良いのであって、物理的には例えば同じ色で同じ濃度のノズルアレイを隣接して配置するなど、物理的な配置の仕方は自由である。
【００９５】
また、図９では、濃いインクＨと中間濃度のインクＭと淡いインクＬとが異なる方向に向けて噴射され同一印刷位置に着弾するようにした例を示したが、噴射される方向を平行にしておき建築板の進行に対応して各濃度のインクの噴射タイミングを調整することで所定の印刷位置に所定の濃度のインクが着弾するようにしてもよい。さらに、本発明に係るインクジェット印刷の後にクリヤー塗装を施すことにより、耐候性を大きく向上させ、外観についても更なる向上が可能となる。
【００９６】
【発明の効果】
以上説明したように本発明によれば、建築板の意匠面において、下塗り、中塗りになどによる下地色の影響を出さずに大きなドット径を形成して、インクジェット印刷による多色表現がなされた鮮明画像の発現が実現される。
【図面の簡単な説明】
【図１】本発明の一実施の形態による建築板印刷装置の印刷ヘッドの配置を示す図である。
【図２】本実施の形態による建築板印刷装置の印刷ヘッドのノズル配列を示す図である。
【図３】図２に示したノズル配列の部分拡大図及び各色ノズルアレイ群の中から選択されたノズルの動作例を示す図である。
【図４】本実施の形態による建築板印刷装置において最初にＣｙＨ（濃いシアン色）のインク滴を噴射させる場合の噴射順序の組み合わせを示す図である。
【図５】本実施の形態による建築板印刷装置において最初にＭａＨ（濃いマゼンタ色）のインク滴を噴射させる場合の噴射順序の組み合わせを示す図である。
【図６】本実施の形態による建築板印刷装置において最初にＹｅＨ（濃いイエロー色）のインク滴を噴射させる場合の噴射順序の組み合わせを示す図である。
【図７】本実施の形態による建築板印刷装置において最初にＫ（クロ）のインク滴を噴射させる場合の噴射順序の組み合わせを示す図である。
【図８】本実施の形態による建築板印刷装置において発色可能な１５段階の濃度レベルを示す図である。
【図９】本実施の形態による建築板印刷装置の印刷ヘッドのインク滴の噴射方向と着弾位置との関係を示す図である。
【図１０】本実施の形態による建築板印刷装置において印刷ヘッドから順次噴射されたインク滴が被印刷面上で重なっていく様子を示す図である。
【図１１】本実施の形態による建築板印刷装置において被印刷面上で隣接するインク滴が混じり合う様子を示す図である。
【図１２】本実施の形態による建築板印刷装置において被印刷面上で隣り合う２本の被印刷ラインＶＬ１とＶＬ２についての建築板の走行に伴う選択ノズルのインク滴噴射タイミングの例を示す図である。
【図１３】本実施の形態による建築板印刷装置において建築板の意匠面に形成されるべき印刷ドットの予定位置と選択ノズルの動作時期の関係を示す図である。
【図１４】本実施の形態による建築板印刷装置の全体システム構成を示す図である。
【図１５】本実施の形態による建築板印刷装置の印刷ヘッド専用のコントローラの構成を示す図である。
【図１６】既提案の建築板印刷装置の印刷ヘッドの配置を示す図である。
【図１７】既提案の建築板印刷装置の各印刷ヘッドの動作タイミングを示す図である。
【図１８】既提案の建築板印刷装置の１印刷管理幅の印刷動作を模式的に示す図である。
【図１９】既提案の建築板印刷装置の建築板全体の印刷動作を模式的に示す図である。
【符号の説明】
（１・１）〜（１・ｎ），（２・１）〜（２・ｎ−１）  印刷ヘッド
１〜４  ノズルアレイブロック
１０  コントローラ
１０Ａ  ヘッド管理部
１０Ｋ，１０Ｃ，１０Ｍ，１０Ｙ  コントロール部
１１  パターンメモリ（ＰＭ）
１２  ノズル開閉制御用ピエゾ素子駆動回路（ＤＣ）
１３  メインコントローラ
１４  ノズル開閉制御パターン記録メモリ
１５  キーボード
１６  ディスプレイ
１７  印刷開始位置検出センサ
１８  パルスエンコーダ
１９  ノズル詰り検出手段
１Ｃｙ，２Ｃｙ，３Ｃｙ，４Ｃｙ  シアン色用ノズルアレイ群
１Ｍａ，２Ｍａ，３Ｍａ，４Ｍａ  マゼンタ色用ノズルアレイ群
１Ｙｅ，２Ｙｅ，３Ｙｅ，４Ｙｅ  イエロー色用ノズルアレイ群
１Ｋ，２Ｋ，３Ｋ，４Ｋ  クロ色用ノズルアレイ群
【図１】
2004148689.tif 000003
【図２】
2004148689.tif 000004
【図３】
2004148689.tif 000005
【図４】
2004148689.tif 000006
【図５】
2004148689.tif 000007
【図６】
2004148689.tif 000008
【図７】
2004148689.tif 000009
【図８】
2004148689.tif 000010
【図９】
2004148689.tif 000011
【図１０】
2004148689.tif 000012
【図１１】
2004148689.tif 000013
【図１２】
2004148689.tif 000014
【図１３】
2004148689.tif 000015
【図１４】
2004148689.tif 000016
【図１５】
2004148689.tif 000017
【図１６】
2004148689.tif 000018
【図１７】
2004148689.tif 000019
【図１８】
2004148689.tif 000020
【図１９】
2004148689.tif 000021